(57)【要約】【課題】  容易かつ快適に脱衣することができるエプロンを提供する。【解決手段】  着用者の胴体の正面に配置する本体部１１と、着用者の首に巻く紐部１２と、こぼれた飲食物を貯留するポケット部１４とからエプロンを構成する。本体部１１とポケット片２４の深さ方向の途中とを、ポケット部１４の底部１６の幅よりも狭い中央の貯留口部１８を除いて左右方向に直接係着することで、ポケット部１４の底部１６と開口部１５との間に境界部１７を形成し、境界部１７により、貯留口部１８を介して深さ方向に連通する上層部と下層部２０との二層にポケット部１４を形成する。【選択図】  図４
2015227524.tif 000002
【特許請求の範囲】
【請求項１】
着用者の胴体の正面に配置される本体部と、
前記着用者の首周りに配置される紐部と、
前記本体部の下方前面側に設けたポケット片と前記本体部とで上方を開口して形成され、前記ポケット片と前記本体部との間にこぼれた飲食物を受容して貯留するポケット部と、を備え、前記本体部と前記ポケット片の深さ方向の途中とを、前記ポケット部の底部の幅よりも狭い中央の貯留口部を除いて左右方向に直接係着することで、前記ポケット部の底部と開口部との間に境界部を形成し、該境界部により、前記貯留口部を介して深さ方向に連通する上層部と下層部との二層に前記ポケット部を形成した、
ことを特徴とするエプロン。
【請求項２】
前記境界部が前記貯留口部に向けて前記ポケット部の深さ方向に傾斜し、前記境界部と前記底部とから前記下層部を形成した、
ことを特徴とする請求項１に記載されたエプロン。
【発明の詳細な説明】
【技術分野】
【０００１】
本発明は、食事中に用いられるエプロンに関するものであり、特に、介護を必要とする被介護者が多数入居する施設において用いる使い捨てタイプのエプロンに関するものである。
【背景技術】
【０００２】
従来、食事の際に被介護者が着用するエプロンとして、例えば下記特許文献１に記載された食べこぼしポケット付ワンタッチエプロンがある。このエプロンは、首を通すための孔と、食べこぼした料理を受ける食べこぼしポケットが形成されている。このエプロンは、介護者が、エプロンの着用者である被介護者の頭部をエプロンの孔に通すことで着脱される。
【先行技術文献】
【特許文献】
【０００３】
【特許文献１】特開２０１２−７２５２８号公報
【発明の概要】
【発明が解決しようとする課題】
【０００４】
しかし、上記のエプロンを着用者から外す際、着用者の首から上方に向けて頭がエプロンの孔を通過するため、孔の周囲が着用者の顔面を通過することで圧迫感を与えることや、孔の周囲が頭髪に引っ掛かって髪型が崩れることなど、着用者に不快感を与える場合がある。特に、着用者が被介護者である場合、被介護者に不快感を与えながらエプロンを外すことは介護者にも負担である。
【０００５】
なお、外されたエプロンは丸めて処分されるのが一般的であるが、被介護者がこぼす飲食物は固形に限られず、流動物も含まれるため、単に丸めただけではポケット内の流動物がポケット外にこぼれる。そのため、介護者は予めポケット内をティッシュペーパなどで拭い、流動物を吸着させなければならないという実情がある。
【０００６】
本発明は、上記の実情に鑑みて提案されたものであり、容易かつ快適に着脱することができるエプロンである。すなわち、被介護者の立場で言えば着脱に際して不快な思いをすることが無く、一方、介護者の立場で言えば無用な気遣いや手間をかけることなく使用することができるエプロンの提供を目的とする。
【課題を解決するための手段】
【０００７】
上記した課題を解決するために、本発明に係るエプロンは、着用者の胴体の正面に配置される本体部と、前記着用者の首周りに配置される紐部と、前記本体部の下方前面側に設けたポケット片と前記本体部とで上方を開口して形成され、前記ポケット片と前記本体部との間にこぼれた飲食物を受容して貯留するポケット部と、を備え、前記本体部と前記ポケット片の深さ方向の途中とを、前記ポケット部の底部の幅よりも狭い中央の貯留口部を除いて左右方向に直接係着することで、前記ポケット部の底部と開口部との間に境界部を形成し、該境界部により、前記貯留口部を介して深さ方向に連通する上層部と下層部との二層に前記ポケット部を形成した、ことを特徴とする。
また、前記境界部が前記貯留口部に向けて前記ポケット部の深さ方向に傾斜し、前記境界部と前記底部とから前記下層部を形成した、ことを特徴とする。
【０００８】
なお、前記本体部と前記ポケット片とを係着することで、前記ポケット部の底部と開口部との間に前記底部の幅よりも狭い貯留口部を形成し、該貯留口部を境に前記ポケット部を深さ方向に二層に形成したものであってもよい。
【０００９】
また、前記貯留口部に向けて前記ポケット部の深さ方向に傾斜させて前記本体部と前記ポケット片とを係着し、前記ポケット部が受容した飲食物を前記貯留口部にガイドしたものであってもよい。
【００１０】
前記紐部が対であってもよい。
【００１１】
前記紐部が環状であってもよい。
【発明の効果】
【００１２】
本発明に係るエプロンは上記した構成である。この構成によれば、ミシン目を境に紐部が切り取られて着用者の首から外されることでエプロンが着用者から脱衣される。したがって、着用者の顔面を通過することも、エプロンが頭髪に引っ掛かることもなく、容易かつ快適に脱衣することができる。
【００１３】
また、ミシン目が、首の左右に相当する位置の両方に形成されていれば、着用者からエプロンが脱衣される際、いずれの側からも本体部と紐部とが分断される。したがって、着用者が被介護者である場合、いずれの側からも介護者が容易に脱衣することができる。
【００１４】
本発明に係るエプロンは、本体部とポケット片とが係着されたことで、ポケット部の底部と開口部との間に底部の幅よりも狭い貯留口部が形成され、貯留口部を境にポケット部が深さ方向に二層に形成されている。この構成によれば、着用者が食事中に食べこぼした飲食物がポケット部に貯留される際、特に、飲食物が例えば飲料や液体調味料などの流動物である場合、流動物が貯留口部を通って底部に貯留される。貯留口部が底部の幅よりも狭いため、エプロンが着用者から脱衣される際、流動物が貯留口部を通って逆流することが妨げられる。したがって、着用者の衣服や周囲を汚さず清潔に保つことができる。
【００１５】
本発明に係るエプロンは、貯留口部に向けてポケット部の深さ方向に傾斜させて本体部とポケット片とが係着されている。この構成によれば、ポケット部が受容した飲食物が貯留口部にガイドされ、着用者が食事中に食べこぼした飲食物が、貯留口部の周囲に沿って貯留口部に集められる。したがって、貯留口部を通して飲食物を確実に底部に貯留することができる。
【図面の簡単な説明】
【００１６】
【図１】本発明の実施形態に係るエプロンを示す外観図である。
【図２】本発明の実施形態に係るエプロンを示す外観図である。
【図３】本発明の実施形態に係るエプロンを示す外観図である。
【図４】本発明の実施形態に係るエプロンの使用状態を示す斜視図である。
【発明を実施するための形態】
【００１７】
以下、本発明の実施形態に係るエプロンを図面に基づいて説明する。図１、図２および図３は、本発明の実施形態に係るエプロン１０の外観が示され、図４は本発明の実施形態に係るエプロン１０の使用状態が示されている。
【００１８】
図１および図２に示されているとおり、本実施形態に係るエプロン１０の構成は次のとおりである。すなわち、エプロン１０は、着用者１の胴体２の正面に配置される本体部１１と、着用者１の首周りに配置されて首３に巻かれる紐部１２と、こぼれた飲食物（図示省略）が貯留されるポケット部１４とが形成されている。
【００１９】
エプロン１０は防水性の素材であり、例えば薄手のポリ塩化ビニルなどである。本体部１１は、ほぼ四角形であり、着用者１の胴体２の前面が覆われる程度の大きさに形成されている（図４参照）。
【００２０】
紐部１２は対であり、本体部１１の上方端に形成されている。紐部１２は着用者１の首３に巻かれると共に先端同士が連結されて環状になる（図４参照）。紐部１２の先端同士が連結される際、例えば結ばれ、または接着部材（図示省略）などで接着されて連結される。紐部１２は、本体部に近い側で、首３の左右に相当する位置にミシン目１３が形成されている。ミシン目１３は、両方の紐部１２に形成されている。なお、紐部は環状であってもよく（図３参照）、ミシン目は片方の紐部にのみ形成されていてもよい。
【００２１】
ポケット部１４は本体部１１の前面の下方に形成されている。詳説すれば、ポケット部１４は、本体部１１の下方前面側に設けられポケット片２４と本体部１１とで上方が開口されて形成されている。ポケット部１４は、本体部１１の下端がポケット片２４として前面側に折り返されると共に側部２３が溶着されて袋状に形成されている。
【００２２】
図２に示されているとおり、ポケット部１４は内側が深さ方向に二層に形成されている。すなわち、底部１６と開口部１５との間に境界部１７が形成され、この境界部１７の中央に、底部１６よりも幅が狭い貯留口部１８が形成されている。境界部１７は、本体部１１とポケット片２４とが溶着されて形成され、貯留口部１８に向けてポケット部１４の深さ方向に傾斜している。この境界部１７および貯留口部１８を境にして、ポケット部１４は上層部１９と下層部２０との二層が形成され、貯留口部１８を通じて各層部１９，２０が連通している。上層部１９は、側部２３と境界部１７とで囲まれた空間であり、開口部１５に片部２２が形成されている。下層部２０は、側部２３、底部１６および境界部１７で囲まれた空間である。なお、境界部１７に対する貯留口部１８の位置は任意である。すなわち、中央に限られず、側部２３寄りであってもよい。
【００２３】
上記のとおり、本実施形態に係るエプロン１０が形成されている。
【００２４】
図４に示されているとおり、エプロン１０が装着される際、本体部１１が着用者１の胴体２の前面に配置され、紐部１２が着用者１の首３に巻かれる。首３に巻かれた紐部１２は、端部同士が結ばれ、または接着部材で接着されて連結される。接着部材で接着される場合、紐部１２は接着部材によって胴体２の背面に接着されてもよい。開口されたポケット部１４は、片部２２が接着部材によってテーブル４に接着される。このことにより、着用者１の胴体２とテーブル４との間にポケット部１４が開口される。一方、エプロン１０が脱衣される際、ミシン目１３を境に紐部１２が本体部１１から切り離されて環状が解かれる。
【００２５】
次に、本実施形態に係るエプロン１０の効果を作用と共に説明する。
【００２６】
上記したとおり、本実施形態に係るエプロン１０によれば、ミシン目１３を境に紐部１２が切り取られて着用者１の首３から外されることでエプロン１０が着用者１から脱衣される。したがって、着用者１の顔面を通過することも、エプロン１０が頭髪に引っ掛かることもなく、容易かつ快適に脱衣することができる。
【００２７】
また、ポケット部１４の開口部とテーブル４とが、接着部材によって接着されることで、ポケット部１４は本体部１１とテーブル４との間で開口される。したがって、着用者１が食事中に食べこぼした飲食物をポケット部１４に確実に貯留することができ、着用者の衣服や周囲を汚さず清潔に保つことができる。
【００２８】
本実施形態に係るエプロン１０によれば、ミシン目１３が両方の紐部１２に形成されている。この構成によれば、着用者１からエプロン１０が脱衣される際、いずれの側からも本体部１１と紐部１２とが分断される。したがって、着用者１が被介護者である場合、いずれの側からも介護者が容易に脱衣することができる。
【００２９】
本実施形態に係るエプロン１０によれば、ポケット部１４は、底部１６と開口部１５との間に境界部１７が形成され、この境界部１７の中央に、底部１６よりも幅が狭い貯留口部１８が形成されている。この境界部１７および貯留口部１８を境にして、ポケット部１４は上層部１９と下層部２０との二層が形成され、貯留口部１８を通じて各層部１９，２０が連通している。この構成によれば、着用者１が食事中に食べこぼした飲食物がポケット部１４に貯留される際、特に、飲食物が例えば飲料や液体調味料などの流動物である場合、流動物が貯留口部１８を通って底部１６に貯留される。貯留口部１８が底部１６の幅よりも狭いため、エプロン１０が着用者１から脱衣される際、流動物が貯留口部１８を通って逆流することが妨げられる。したがって、着用者１の衣服や周囲を汚さず清潔に保つことができる。
【００３０】
本実施形態に係るエプロン１０によれば、境界部１７は溶着され、貯留口部１８に向けてポケット部１４の深さ方向に傾斜している。この構成によれば、着用者１が食事中に食べこぼした飲食物が、境界部１７に沿って貯留口部１８に集められる。したがって、貯留口部１８を通して飲食物を確実に下層部２０に貯留することができる。
【００３１】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３２】
１                着用者
２                胴体
３                首
４                テーブル
１０              エプロン
１１              本体部
１２              紐部
１３              ミシン目
１４              ポケット部
１５              開口部
１６              底部
１７              境界部
１８              貯留口部
１９              上層部
２０              下層部
２２              片部
２３              側部
２４              ポケット片
【図１】
2015227524.tif 000003
【図２】
2015227524.tif 000004
【図３】
2015227524.tif 000005
【図４】
2015227524.tif 000006